(57)【要約】【課題】  入力信号から正確かつ安定に同期信号を検出する。【解決手段】  同期信号検出回路１０は、ビデオ信号Ｄｉｎから水平同期信号を検出するための水平同期検出レベルＨＬを検出する水平同期レベル検出回路１１と、ビデオ信号Ｄｉｎから、水平同期検出レベルＨＬに基づき設定したリミット範囲（（ＨＬ−ｎ）〜（ＨＬ＋ｍ））のみの信号を抜き出した制限信号Ｄ１を出力する同期信号抜き取り回路１２と、制限信号Ｄ１の高周波成分を除去して出力する第１のフィルタ回路１３と、第１のフィルタ回路１３の出力信号から水平同期信号ＨＳを検出する同期分離回路１４とを有する。【選択図】  図１
2006203473.tif 000002
【特許請求の範囲】
【請求項１】
入力信号から同期信号を検出する同期検出回路において、
入力信号から前記同期信号のレベル範囲に基づき設定された所定のレベル範囲のみを抜き出した信号を制限信号として出力する制限回路と、
前記制限信号から同期信号を検出する同期検出部とを有する同期検出回路。
【請求項２】
前記所定のレベル範囲は、ペデスタルレベル以下の範囲である
ことを特徴とする請求項１記載の同期検出回路。
【請求項３】
前記所定のレベル範囲は、第１のレベル以上でかつ第２のレベル以下の範囲であって、
前記制限回路は、前記入力信号のうち前記第１のレベルより小さい信号は前記第１のレベルとし、前記第２のレベルより大きい信号は前記第２のレベルとした前記制限信号を出力する
ことを特徴とする請求項１記載の同期検出回路。
【請求項４】
前記所定のレベル範囲は、同期信号の基底レベル近傍以上でかつペデスタルレベル近傍以下の範囲である
ことを特徴とする請求項１項記載の同期検出回路。
【請求項５】
スライスレベルを検出するレベル検出回路を有し、
前記制限回路は、前記スライスレベルを含む任意の幅を設定して前記所定のレベル範囲とし、
前記同期検出部は、前記スライスレベルに基づき前記同期信号を検出する
ことを特徴とする請求項１乃至４のいずれか１項記載の同期検出回路。
【請求項６】
スライスレベル及びペデスタルレベルを検出するレベル検出回路を有し、
前記制限回路は、前記ペデスタルレベルに基づき任意の幅を設定して前記所定のレベル範囲とし、
前記同期検出部は、前記スライスレベルに基づき前記同期信号を検出する
ことを特徴とする請求項１乃至４のいずれか１項記載の同期検出回路。
【請求項７】
前記同期検出部は、前記制限信号の高周波成分を除去して出力する第１のフィルタ回路と、前記第１のフィルタ回路の出力信号から同期信号を検出する同期分離回路とを有する
ことを特徴とする請求項１乃至６のいずれか１項記載の同期検出回路。
【請求項８】
入力信号から高周波成分を除去したフィルタ済信号を出力する第２のフィルタ回路を更に有し、
前記制限回路は、前記入力信号として前記フィルタ済信号が供給され、このフィルタ済信号から前記制限信号を生成する
ことを特徴とする請求項７項記載の同期検出回路。
【請求項９】
前記第２のフィルタ回路は、前記第１のフィルタ回路よりカットオフ周波数が高いローパスフィルタ又は所定の信号を除去するバンドパスフィルタである
ことを特徴とする請求項８記載の同期検出回路。
【発明の詳細な説明】
【技術分野】
【０００１】
本発明は、例えば同期信号、輝度信号及びクロマ信号を含むコンポジット信号、または同期信号を含んだ輝度信号等から同期信号を検出する同期検出回路に関し、特に、同期信号を安定に検出するための同期検出回路に関する。
【背景技術】
【０００２】
ビデオ信号は再生装置で正しく再生できるように、水平同期信号及び垂直同期信号が映像信号に挿入されている。そのため、再生装置はビデオ信号から同期信号を検出する同期検出回路を備えている。この同期検出回路は映像を安定に表示するために重要な回路である。
【０００３】
例えば特許文献１には、入力された映像信号からノイズや、クロマ信号などを除去して正しく水平同期信号を検出できるようにするためにローパスフィルタ（以下ＬＰＦという）処理をして水平同期信号を検出する同期検出回路が開示されている。
【０００４】
この特許文献１に記載の同期検出回路においては、映像信号に重畳されたノイズを除去し、正しく水平同期信号を検出できるようにＬＰＦ処理を実施している。このようなＬＰＦ処理は、水平同期部分に乗ったノイズに対してはその低減の効果が得られる。しかしながら、例えばコピーガード信号に挿入されるバックポーチパルスが存在する場合、又は水平同期信号に対しフロントポーチ期間が短い場合等においては、ＬＰＦ処理による水平同期信号の波形歪みが生じる。すなわち、フロントポーチ、バックポーチに重畳された信号はＬＰＦ処理することにより振幅が低減される代わりに時間軸方向に平滑化され水平同期信号の波形を歪ませてしまう。したがって、水平同期信号の立ち下がりや立ち上がり位相を正しく検出できなくなり、映像画像がゆがんでしまうという欠点がある。
【０００５】
図７は、ＬＦＰ処理した場合の問題点を説明する図である。図７（ａ）のＤｉｎは入力ビデオ信号を示し、Ｈは水平ブランキング期間、ＦＰはフロントポーチ、ＢＰはバックポーチを示す。このビデオ信号Ｄｉｎは、コピーガード信号としてバックポーチパルスＰ１が挿入されている。この場合に、上述のＬＰＦ処理を行うと、図７（ｂ）に示す信号Ｄ１１が得られる。すなわち、このようなビデオ信号ＤｉｎのＬＰＦ処理後の信号Ｄ１１は、バックポーチパルスＰ１の振幅が低減され時間軸方向に平滑化されることで、水平同期信号の立ち上がり波形は歪んだものとなる。この歪んだ信号波形に対し、水平同期検出レベルＨＬで水平同期信号を検出した場合、図７（ｃ）に示すように、検出された同期信号ＨＳは、本来の水平同期信号の立ち上がりタイミングが誤って検出される。このような信号Ｄ２から水平同期信号ＨＳを検出すると、本来の水平同期期間ＴＨ１とは異なる期間ＴＨ２を有する信号となる。
【０００６】
すなわち、ＬＰＦを通すことで、高周波成分が除去される分だけビデオ信号中の水平同期信号の信号波形がなまってしまうため、検出される水平同期信号期間と実際の水平同期信号期間とに誤差が生じてしまうこととなる。そこで、このような問題点を解決すべく、ＬＰＦ処理を直接施さずに同期信号を検出する技術が特許文献２に開示されている。図８は、従来の同期分離装置（以下、同期検出回路という）の構成を示すブロック図である。図９は、この同期分離装置の各ブロックから出力される信号を示す。特許文献２に記載の同期検出回路８０は、フィルタ回路８１と、同期分離回路８２、８３と、マスク信号作成回路８４と、マスク回路８５とから構成されている。
【０００７】
フィルタ回路８１は、図９（ａ）のＳＡ１に示すようなビデオ信号を入力とし、ＬＰＦ処理、及びバンドパスフィルタ（以下ＢＰＦという。）処理をする回路であり、ビデオ信号の高周波成分、すなわちバースト信号や輝度信号に重畳されたクロマ信号、ビデオ信号に含まれる負極性ノイズを除去して図９（ｂ）のＳＡ２信号を出力する。同期分離回路８２は、フィルタ処理された信号ＳＡ２に対し、水平同期信号及び垂直同期信号を検出するレベルにて各種同期を検出する。図９（ｃ）のＳＨ２は、同期分離回路８２において、検出レベルＨＬにて検出した水平同期信号を示す。
【０００８】
マスク信号生成回路８４は、検出された例えば水平同期信号ＳＨ２の同期開始より少し早い時間でＬレベルになり、同期終了より少し遅い時間でＨレベルになる図９（ｄ）に示すマスク信号ＳＭを生成する。具体的には、水平同期信号ＳＨ２の周期ＴＴＨよりわずかに早いタイミング、すなわち水平同期信号期間ＴＨ２の立下りエッジよりもわずかに早いタイミング（ＳＫ２）を検出し、水平同期信号期間ＴＨ２の立ち上がりエッジよりもわずかに遅いタイミング（ＳＫ１）を検出し、これらＳＫ１、ＳＫ２から水平同期信号ＳＨ２の水平同期信号期間ＴＨ２より時間軸方向で前後にわずかに幅が長い期間を非マスク期間（Ｌレベルの期間）とするマスク信号ＳＭを出力する。
【０００９】
マスク回路８５はマスク信号ＳＭ及びビデオ信号を入力とし、マスク信号ＳＭ（以下同様）のＬレベル期間だけビデオ信号がスルーし、Ｈレベルは固定値にバイアスする回路であり、ＳＭ信号のＬレベル期間にあわせて水平同期信号や、垂直同期信号だけがスルーするようになる。同期分離回路８３は、マスク回路８５から水平同期信号と垂直同期信号だけになった信号を受け取り、水平同期信号ＳＨ３及び垂直同期信号ＳＶ３を抽出して出力する。
【００１０】
以上のように処理することによって、入力されたビデオ信号に対しＬＰＦ処理を行うことなく、水平同期、および垂直同期信号を検出することができる。
【特許文献１】特開２０００−２４４７６６号公報
【特許文献２】特開２００４−９６２３３号公報
【発明の開示】
【発明が解決しようとする課題】
【００１１】
上述の図７に示したような、水平同期信号の信号波形がなまることで検出した水平同期信号にジッタが発生する問題が生じるのは、通常カットオフ周波数が５００ＫＨｚ程度のＬＰＦで処理した場合である。このようなＬＰＦで処理すると、水平同期信号は１５．７３４ＫＨｚであるため、水平同期信号の立下り及び立ち上がりが緩やかなカーブの波形に変換されてしまう。したがって、上述した特許文献１のように、バックポーチにバックポーチパルスが存在した場合の他、水平同期信号がつぶれてフロントポーチ期間が不足した場合、又は大きなノイズが載っていた場合等においては、ＬＰＦ処理により、標準信号に重畳された各種信号及びノイズの振幅を低減して時間軸方向に平滑化する（滑らかにする）と、水平同期信号の波形に影響を及ぼし、立ち下がりおよび立ち上がりのタイミングを変化させてしまう。すなわち、単にＬＰＦ処理するだけでは、ＬＰＦ処理によりジッタを発生させることとなり、標準信号以外の信号等が含まれる水平ブランキング期間を有する場合にはこの問題を回避することができない。
【００１２】
一方、特許文献２に記載の同期検出回路のように、ＬＰＦ処理を施さず同期信号を検出すると、特に録画を繰り返したＶＴＲ信号や弱電界のＴＶ信号などの場合ビデオ信号に載った高周波ノイズが水平同期信号の立ち下がり及び立ち上がりの検出を誤らせてしまい、同じくジッタを増加させてしまうという問題点がある。
【００１３】
したがって、コピーガード信号でバックポーチに挿入されるバックポーチパルスが存在した場合、水平同期信号がつぶれフロントポーチ期間が不足した場合、大きなノイズが載っていた場合等、ブランキング期間に他の信号及びノイズ等が存在する場合等であっても、これらの影響を受けずにＬＰＦ処理を施すことができれば、正確に同期信号を検出することができる。
【課題を解決するための手段】
【００１４】
発明に係る同期検出回路は、入力信号から同期信号を検出する同期検出回路において、入力信号から前記同期信号のレベル範囲に基づき設定された所定のレベル範囲のみを抜き出した信号を制限信号として出力する制限回路と、前記制限信号の高周波成分を除去して出力する第１のフィルタ回路と、前記第１のフィルタ回路の出力信号から同期信号を検出する同期分離回路とを有するものである。
【００１５】
本発明においては、入力信号から所定のレベル範囲を抜き出した制限信号に対して、第１のフィルタ回路により高周波成分を除去する処理を行うことで、入力信号にノイズやレベルが異常な信号等が含まれる場合であってもその影響を低減し、正確な位置の同期信号を検出することができる。
【発明の効果】
【００１６】
本発明に係る同期検出回路によれば、入力信号から正確かつ安定に同期信号を検出することができる。
【発明を実施するための最良の形態】
【００１７】
以下、本発明を適用した具体的な実施の形態について、図面を参照しながら詳細に説明する。この実施の形態は、本発明を、入力信号に含まれる同期信号を検出する同期検出回路に適用したものである。
【００１８】
実施の形態１．  
図１は、本発明の第１の実施の形態にかかる同期検出回路を示すブロック図である。本同期検出回路１０は、入力信号から後述する水平同期検出レベルＨＬを検出する水平同期レベル検出回路１１と、入力信号及び水平同期検出レベルＨＬが入力され制限信号Ｄ１を生成する同期信号抜き取り回路１２と、制限信号Ｄ１から水平同期信号を検出する同期検出部とを有する。同期検出部は、制限信号Ｄ１の高周波成分を除去する第１のフィルタ回路１３と、第１のフィルタ回路１３にてＬＰＦ処理された信号Ｄ２から水平同期信号を分離して出力する水平同期分離回路１４とを有する。
【００１９】
入力信号は、例えば輝度信号及びクロマ信号（色信号）に同期信号が重畳されたコンポジット信号、又は同期信号を含んだ輝度信号など、同期信号が含まれる信号である。本実施の形態においては、入力信号を以下ビデオ信号Ｄｉｎということとする。ビデオ信号Ｄｉｎは、水平同期レベル検出回路１１及び同期信号抜き取り回路１２に入力される。
【００２０】
水平同期レベル検出回路１１は、入力されたビデオ信号Ｄｉｎに対し、水平同期信号を検出するための水平同期検出レベルＨＬを出力する回路である。この水平同期検出レベルＨＬは、水平同期信号の立ち下がり及び立ち上がりのタイミングを決定するためのレベルである。このような検出レベルは、例えば次のようにして検出することができる。すなわち、先ず入力されたビデオ信号Ｄｉｎに対し、例えばカットオフ周波数５００ＫＨｚ程度のＬＰＦ処理を行ってノイズ成分を除去する。次いで、水平同期信号の基底レベル（以下、ボトムレベル又はシンク・チップともいう。）ＳＣ及びペデスタルレベルを検出する。なお、ここでのＬＰＦ処理は、シンク・チップＳＣ及びペデスタルレベルを検出することを目的とする処理であるため、水平同期信号の信号波形がなまる等してもよい。次に、このシンク・チップＳＣ及びペデスタルレベルＰＬに基づいて、適切な水平同期検出レベルＨＬを求める。この場合、最も簡単には、水平同期検出レベルＨＬをシンク・チップＳＣとペデスタルレベルＰＬとの中間値とすることができるが、中間値に限らず、装置、入力信号等に応じてシンク・チップＳＣ乃至ペデスタルレベルＰＬの間の所望のレベルとすることもできる。こうして求めた水平同期検出レベルＨＬは、同期信号抜き取り回路１２及び水平同期分離回路１４へ送られる。
【００２１】
同期信号抜き取り回路１２は、ビデオ信号Ｄｉｎから、最小抜き取りレベル〜最大抜き取りレベルの所定のレベル範囲（以下、リミット範囲という。）の信号のみを抜き出した制限信号を出力する。このリミット範囲は、検出対象である標準信号、ここでは水平同期信号の本来のレベル範囲（シンク・チップＳＣ〜ペデスタルレベルＰＬ）に基づき、水平同期信号が本来存在する範囲内又は存在する蓋然性が高い範囲等として設定することができる。本実施の形態においては、リミット範囲を、受け取った水平同期検出レベル（ＨＬ）に基づき、例えば水平同期検出レベルＨＬ近傍の範囲とする。
【００２２】
具体的には、同期信号抜き取り回路１２は、水平同期検出レベルＨＬを基準とし、任意のレベル幅ｎ、ｍを設定する。任意のレベル幅は、リミット範囲の上限（第１のレベル、以下最小抜き取りレベルという）を決定するための値ｎと下限（第２のレベル、以下最大抜き取りレベルという）を決定するための値ｍとからなり、これらの値ｎ、ｍと水平同期検出レベルＨＬとから、リミット範囲の最小抜き取りレベルが（ＨＬ−ｎ）、最大抜き取りレベルが（ＨＬ＋ｍ）とされる。
【００２３】
ここで、本実施の形態にかかる同期検出回路が検出対象としているのは水平同期信号であり、シンク・チップＳＣ乃至ペデスタルレベルＰＬのレベル範囲を有するため、リミット範囲は、例えば、最小抜き取りレベルをシンク・チップＳＣ近傍以上、最大抜き取りレベルをペデスタルレベルＰＬ近傍以下とすることができる。また、リミット範囲の最小抜き取りレベルをシンク・チップＳＣより小さく、最大抜き取りレベルをペデスタルレベルＰＬより大きくすることもできるが、レベル幅ｍを大きくして、リミット範囲の最大抜き取りレベル（ＨＬ＋ｍ）をペデスタルレベルＰＬより大きくすると、ペデスタルレベルＰＬに重畳された信号又はノイズ部分も制限信号Ｄ１として抜き取られることとなる。一方、レベル幅ｎを大きくして、リミット範囲の最小抜き取りレベル（ＨＬ−ｎ）をシンク・チップＳＣより小さくすると、垂直信号の基底部分に重畳されたノイズ部分も制限信号Ｄ１として抜き取られることとなる。また、レベル幅ｍ、ｎを小さくし、リミット範囲の幅を狭くすると後述するように、制限信号Ｄ１をＬＰＦ処理して平滑化する際に、制限信号Ｄ１に含まれるノイズを除去しきれない場合がある。したがって、同期信号抜き取り回路１２は、これらを考慮し、レベル幅ｎ、ｍを設定することが好ましい。
【００２４】
このようにして設定されたレベル幅ｎ、ｍから、同期信号抜き取り回路１２において最小抜き取りレベル（ＨＬ−ｎ）、最大抜き取りレベル（ＨＬ＋ｍ）のリミット回路が構成される。これにより、入力されたビデオ信号Ｄｉｎに対し、レベル（ＨＬ−ｎ）〜（ＨＬ＋ｍ）の信号のみを取り出す処理（以下、リミット処理という。）を行なうことで制限信号Ｄ１を得ることができる。例えば最小抜き取りレベルをシンク・チップＳＣ以上とし、最大抜き取りレベルをペデスタルレベルＰＬ以下とすれば、このリミット処理により、制限信号Ｄ１は、ビデオ信号Ｄｉｎの水平同期信号部分に相当する範囲のみを通過させたものとすることができ、この場合、ビデオ信号Ｄｉｎのうちシンク・チップＳＣより小さいレベル部分はシンク・チップＳＣに固定され、ペデスタルレベルＰＬより大きいレベル部分はペデスタルレベルＰＬに固定されたものとなる。この制限信号Ｄ１は第１のフィルタ回路１３へ供給される。
【００２５】
第１のフィルタ回路１３は、この制限信号Ｄ１に対し、例えばカットオフ周波数５００ＫＨｚ程度のＬＰＦ処理することにより、制限信号Ｄ１に残っているノイズやクロマ信号を除去する。ＬＰＦ処理後の信号Ｄ２は、水平同期分離回路１４へ供給される。
【００２６】
水平同期分離回路１４は、第１のフィルタ回路１３にてＬＰＦ処理された信号Ｄ２に対し、水平同期レベル検出回路１１からの水平同期検出レベルＨＬを基準に水平同期信号ＨＳを検出して出力する。
【００２７】
次に、本実施の形態にかかる同期検出回路の水平同期信号の動作について説明する。本実施の形態においては、コピーガード信号であって、バックポーチにバックポーチパルスが挿入されているビデオ信号から水平同期信号を検出する場合について説明する。図２（ａ）乃至図２（ｄ）は、それぞれビデオ信号Ｄｉｎ、制限信号Ｄ１、ＬＰＦ処理された信号Ｄ２、水平同期信号ＨＳの信号波形を示す模式図である。図２（ａ）乃至図２（ｄ）において、横軸は相対的な時間、縦軸は相対的な電圧レベルを示す。
【００２８】
図２（ａ）に示すビデオ信号Ｄｉｎにおいて、Ｈは水平ブランキング期間であり、水平ブランキング期間Ｈは、フロントポーチＦＰ、水平同期期間ＴＨ、及びバックポーチＢＰからなる。すなわち、水平ブランキング期間Ｈにおいて、水平ブランキング期間Ｈが始まってから水平同期信号が始まるまでの間がフロントポーチＦＰであり、水平同期信号の終了から映像が開始するまでの期間がバックポーチＢＰである。
【００２９】
例えば、バックポーチＢＰには、カラーバースト信号（色同期信号）が重畳されたり、ビデオ信号の複製防止のためのコピーガード信号が挿入されたりする。本実施の形態においては、バックポーチパルスＰ１がコピーガードとして挿入される例を示している。例えばビデオ信号の再生装置には、映像信号のレベル変動を補償するＡＧＣ（Automatic Gain Control）回路が設けられており、常に一定の同期レベルから全体の減衰程度を検出して入力ゲインを調整するが、この同期レベルは、同期信号の立ち上がり前後、つまりシンク・チップＳＣとバックポーチとの電位差から取得するため、このようにバックポーチの電圧を異常に高くすることでＡＧＣ回路が過大入力と誤って判断してゲインを一杯に下げることで複製を防止するものである。なお、コピーガードには、その他、フロントポーチにコピーガードパルスが挿入される場合や、それらを合わせて挿入する場合等がある。
【００３０】
このようなビデオ信号Ｄｉｎに対し、水平同期レベル検出回路１１にて水平同期検出レベルＨＬを検出し、同期抜き取り回路１２により最小抜き取りレベル（ＨＬ−ｎ）から最大抜き取りレベル（ＨＬ＋ｍ）の範囲でリミット処理することにより、図２（ｂ）に示す同期信号抜き取り後の制限信号Ｄ１が得られる。すなわち、リミット処理により、相対的な電圧レベルが最小抜き取りレベル（ＨＬ−ｎ）から最大抜き取りレベル（ＨＬ＋ｍ）の間の信号が、ビデオ信号Ｄｉｎから制限信号Ｄ１として抜き取られる。
【００３１】
この制限信号Ｄ１に対し、第１のフィルタ回路１３にてＬＰＦ処理することにより、図２（ｃ）に示すフィルタ処理出力（信号Ｄ２）が得られる。そして、水平同期分離回路１４にて、信号Ｄ２から水平同期検出レベルＨＬを基準に水平同期信号ＨＳを分離すると、図２（ｄ）に示す水平同期検出出力（水平同期信号ＨＳ）が得ることができる。このようにビデオ信号Ｄｉｎから同期信号が含まれるレベル部分を抜き取りフィルタ処理することで、バックポーチパルスＰ１の影響を受けることなく、正しく水平同期信号の立ち下がりと立ち上がりタイミングを検出することができる。
【００３２】
従来、図２（ａ）に示す、バックポーチパルスＰ１を有するビデオ信号Ｄｉｎのように、水平同期信号の近傍すなわちフロントポーチやバックポーチにコピーガード信号が重畳されたり、又は水平同期信号がつぶれフロントポーチ期間が不足したり、若しくはノイズ等により異常なレベルの信号が混入したりした場合には、ビデオ信号にそのままＬＰＦ処理をすると水平同期部の波形に影響を及ぼす。この波形への影響は、水平同期信号の立下り、立ち上がりの誤検出の原因となり、ジッタを発生させるなどの問題を生じることなる。
【００３３】
これに対し、本実施の形態においては、ビデオ信号Ｄｉｎにおいて、水平同期信号を検出するべき検出レベルＨＬを基準にしてビデオ信号から水平同期信号のみが含まれている蓋然性が高いレベル範囲のみを抜き取った後、その信号（制限信号）に対しＬＰＦなどのフィルタ処理を行って高周波成分等のノイズを除去し、水平同期信号を検出することにより、水平ブランキング期間内に載るコピーガード信号のバックポーチパルス、ノイズ及び水平同期信号のつぶれによるフロントポーチ期間不足等を有するビデオ信号に対しても、安定して正しく同期信号の立ち下がりや立ち上がりタイミングを検出することができる。
【００３４】
実施の形態２．  
次に、本発明の実施の形態２について説明する。図３は、本実施の形態における同期検出回路を示すブロック図である。なお、図３に示す本実施の形態及び後述の図５に示す実施の形態３にかかる水平同期検出回路において、図１に示す実施の形態１と同一の構成要素には同一の符号を付してその詳細な説明は省略する。
【００３５】
本実施の形態にかかる同期検出回路２０は、同期検出信号抜き取り回路１２の前段に第２のフィルタ回路２１を有する点が上述の実施の形態１と異なる。すなわち、入力信号として同期検出回路２０に入力されるビデオ信号Ｄｉｎをフィルタリングしたフィルタ済信号Ｄ０を、同期検出抜き取り回路１２の入力とする。同期信号抜き取り回路１２は、このフィルタリングしたフィルタ済信号Ｄ０に対し、水平同期検出レベルＨＬからリミット処理をした制限信号Ｄ１を生成する。
【００３６】
図４（ａ）乃至図４（ｅ）は、それぞれビデオ信号Ｄｉｎ、第２のフィルタ回路出力信号Ｄ０、制限信号Ｄ１、第１のフィルタ回路出力信号Ｄ２、水平同期信号ＨＳの信号波形を示す模式図である。図４（ａ）乃至図４（ｅ）において、横軸は相対的な時間、縦軸は相対的な電圧レベルを示す。
【００３７】
図４に示すように、上述の実施の形態１と同様のビデオ信号Ｄｉｎを入力とする場合、このビデオ信号Ｄｉｎをフィルタリング処理する。フィルタ回路２１は、例えばバースト信号やクロマ信号が除去できる程度であって、後段に使用する第１のフィルタ回路１３のＬＰＦ処理よりも処理が軽いフィルタ処理を行う回路である。すなわち、このフィルタ回路２１では、例えば、バースト信号やクロマ信号、高周波ノイズ等を除去することを目的とし、第１のフィルタ回路１３よりもカットオフ周波数が高いＬＰＦ処理又はＢＰＦ処理を施す。このことにより、入力されたビデオ信号Ｄｉｎは、図４（ｂ）に示すように、図４（ａ）に示すバースト信号や高周波ノイズ４１が除去されたフィルタ済信号Ｄ０となる。ただし、第２のフィルタ回路２１は、高周波成分を除去する目的で設けられるものであり、第１のフィルタ回路１３又は水平同期レベル検出回路１１に含まれるフィルタなどとは異なり、フィルタ済信号Ｄ０において水平同期信号の波形に及ぼす影響が少なくなる程度の高いカットオフ周波数とする。
【００３８】
上述の実施の形態１においては、図２（ｃ）に示すように、最小抜き取りレベル（ＨＬ−ｎ）から最大抜き取りレベル（ＨＬ＋ｍ）のリミット範囲内にあるノイズ４２（図２（ｂ）参照）が残ってしまっていたのに対し、本実施の形態においては、フィルタ回路２１にてフィルタ処理をしたフィルタ済信号Ｄ０に対し、同期信号抜き取り回路１２において、実施の形態１と同様にリミット処理をして制限信号Ｄ１を生成し、この制限信号Ｄ１に対して第１のフィルタ回路１３にてＬＰＦ処理を施すため、ＤＣ歪み４３（図２（ｃ）参照）が残存しない制限信号Ｄ１を得ることができる。
【００３９】
すなわち、上述した実施の形態１にかかる同期検出回路１０のように、ビデオ信号Ｄｉｎを直接リミット制限した場合、バースト信号やノイズがリミット範囲内に一部含まれる場合がある。その場合、ノイズ等が一部含まれる信号を第１のフィルタ回路１３にてＬＰＦ処理又はＢＰＦ処理すると、ＤＣ歪４２等が発生してしまい、水平同期分離回路１４においては、このようなＤＣ歪を水平同期信号と誤って検出してしまう問題がありうる。
【００４０】
これに対し、本実施の形態においては、同期信号抜き取り回路１２の前段に、後段に使用する第１のフィルタ回路１３のＬＰＦ処理よりもカットオフ周波数が高いフィルタ回路を追加して前処理しておくことにより、同期信号抜き取り回路１２においてリミット範囲の通過制限付近にあるバースト信号、クロマ信号、又は高周波ノイズなどの同期信号とは無関係な波形を除去することができる。したがって、その後段部の第１のフィルタ回路１３にてＬＰＦ処理を行ってもＤＣ歪が生じることなく水平同期信号の誤判定を低減することができる。
【００４１】
実施の形態３．  
次に、本発明の実施の形態３にかかる同期検出回路について説明する。図５は、本発明の実施の形態３にかかる同期検出回路を示すブロック図である。本実施の形態にかかる同期検出回路３０は、実施の形態２にかかる同期検出回路２０における水平同期レベル検出回路１１の替わりに、水平同期検出レベルＨＬと共にペデスタルレベルＰＬを出力する水平同期レベル検出回路３１を設ける。
【００４２】
図６（ａ）乃至図６（ｅ）は、それぞれビデオ信号Ｄｉｎ、第１のフィルタ回路出力信号Ｄ０、制限信号Ｄ１、第２のフィルタ回路出力信号Ｄ２、水平同期信号ＨＳの信号波形を示す模式図である。図６（ａ）乃至図６（ｅ）において、横軸は相対的な時間、縦軸は相対的な電圧レベルを示す。
【００４３】
水平同期レベル検出回路３１は、ビデオ信号Ｄｉｎ（図６（ａ））から水平同期検出レベルＨＬを検出し、水平同期分離回路１４へ供給すると共に、ペデスタルレベルＰＬを同期信号抜き取り回路１２へ供給する。第２のフィルタ回路２１は、ビデオ信号Ｄｉｎの高周波成分のみをカットしたフィルタ済信号Ｄ０（図６（ｂ））を出力する。同期信号抜き取り回路１２は、ペデスタルレベルＰＬを基準として、フィルタ済信号Ｄ０に対しリミット処理を行う。
【００４４】
すなわち、リミット範囲を決定する際に、ペデスタルレベルＰＬを基準に、例えば単純にはペデスタルレベルＰＬ以下をリミット範囲としたり、ペデスタルレベルＰＬ以下の所定の範囲をリミット範囲としたりする。本実施の形態においては、ペデスタルレベルＰＬより小さい所定のレベル以下をリミット範囲とする。そして、フィルタ回路２１から出力されるフィルタリング後のフィルタ済信号Ｄ０について、当該最大値抜き取りレベル以下のみを通過させた制限信号Ｄ１（図６（ｃ））を生成する。このように、ペデスタルレベルＰＬを基準にしてリミット処理を行った制限信号Ｄ１を、実施の形態１と同様に第１のフィルタ回路１３にてＬＰＦ処理した後（図６（ｄ））、水平同期分離回路１４において、水平同期スライスレベルＨＬに基づき水平同期信号ＨＳ（図６（ｅ））を検出する。
【００４５】
本実施の形態においては、同期信号抜き取り回路１２において簡単にリミット範囲を設定することができ、入力信号の同期信号の振幅レベルに関係なく、ペデスタルレベルＰＬ以上に載るノイズや信号を除去することができる。また、シンク・チップＳＣ乃至ペデスタルレベルＰＬに存在する水平同期信号を確実に抜き取り、かるＬＰＦ処理を施してもジッタがない正確な水平同期信号を得ることができる。
【００４６】
なお、本発明は上述した実施の形態のみに限定されるものではなく、本発明の要旨を逸脱しない範囲において種々の変更が可能であることは勿論である。例えば、上述の実施の形態１乃至実施の形態３においては、ビデオ信号から水平同期信号を検出する同期検出回路として説明したが、同期信号を含んだ輝度信号等他の信号であってもよい。また、同期検出回路は、標準信号以外の信号を除去するために、検出対象である同期信号のレベルに基づき設定したリミット範囲で入力信号をリミット制限した制限信号に対しＬＰＦ処理し同期検出することにより、標準信号以外の信号を除去して安定に同期信号を検出できるようにするものであり、検出対象となる同期信号は垂直同期信号であってもよい。その場合、入力信号から垂直同期信号が含まれるレベル範囲近傍のみを抜き取るリミット処理を行うようにすればよい。また、入力信号から水平同期信号及び垂直同期信号を検出する同期検出回路とすることも可能である。
【図面の簡単な説明】
【００４７】
【図１】本発明の実施の形態１にかかる同期検出回路を示すブロック図である。
【図２】（ａ）乃至（ｂ）は、それぞれビデオ信号Ｄｉｎ、制限信号Ｄ１、第１のフィルタ回路出力信号Ｄ２、水平同期信号ＨＳの信号波形を示す模式図である。
【図３】本発明の実施の形態２にかかる同期検出回路を示すブロック図である。
【図４】（ａ）乃至（ｅ）は、それぞれビデオ信号Ｄｉｎ、第２のフィルタ回路出力信号Ｄ０、制限信号Ｄ１、第１のフィルタ回路出力信号Ｄ２、水平同期信号ＨＳの信号波形を示す模式図である。
【図５】本発明の実施の形態３にかかる同期検出回路を示すブロック図である。
【図６】（ａ）乃至（ｅ）は、それぞれビデオ信号Ｄｉｎ、第２のフィルタ回路出力信号Ｄ０、制限信号Ｄ１、第１のフィルタ回路出力信号Ｄ２、水平同期信号ＨＳの信号波形を示す模式図である。
【図７】従来の同期検出回路により処理される信号波形を示す模式図である。
【図８】特許文献２に記載の同期分離装置の構成を示すブロック図である。
【図９】図８に示す同期分離装置の各ブロックから出力される信号波形を示す模式図である。
【符号の説明】
【００４８】
１０，２０，３０  同期検出回路
１１，３１  水平同期レベル検出回路
１２  同期検出抜き取り回路
１３，２１  フィルタ回路
１４  水平同期分離回路
【図１】
2006203473.tif 000003
【図２】
2006203473.tif 000004
【図３】
2006203473.tif 000005
【図４】
2006203473.tif 000006
【図５】
2006203473.tif 000007
【図６】
2006203473.tif 000008
【図７】
2006203473.tif 000009
【図８】
2006203473.tif 000010
【図９】
2006203473.tif 000011